(57)【要約】【課題】バーコードラベルを必要とすることなく、必要な情報を効率的に読取れるようにする。【解決手段】段ボール箱７を梱包する粘着テープ１には、電子透かし技術を利用して、目に見えないように、例えば、梱包された物品に関する物品情報を含むコード情報が埋め込まれており、この粘着テープ１に埋め込まれている情報を、対応する読取り装置によって読取って検品等を行うようにし、段ボール箱１にバーコードラベルを貼付する必要をなくしている。【選択図】図３
2020105413.tif 000002
【特許請求の範囲】
【請求項１】
基材と、
前記基材の少なくとも片面側に形成された粘着剤層と、
読取り装置によって読取り可能な情報が印刷された印刷層とを備える、
ことを特徴とする粘着テープ。
【請求項２】
前記情報は、目に見えないように印刷されている、
請求項１に記載の粘着テープ。
【請求項３】
前記情報が、前記読取り装置によって読取り可能なコード情報である、
請求項１または２に記載の粘着テープ。
【請求項４】
前記情報が、当該粘着テープが貼着される梱包容器内に収納される物品に関する物品情報を含む、
請求項１ないし３のいずれか一項に記載の粘着テープ。
【請求項５】
前記印刷層を第１印刷層とし、
前記情報が可変情報であり、
固定情報が印刷された第２印刷層を更に備える、
請求項１ないし４のいずれか一項に記載の粘着テープ。
【請求項６】
物品を収納した梱包容器と、該梱包容器の外面に貼着された粘着テープとを備える梱包体であって、
前記粘着テープは、基材と、前記基材の少なくとも片面側に形成された粘着剤層と、読取り装置によって読取り可能な情報が印刷された印刷層とを備える、
ことを特徴とする梱包体。
【請求項７】
前記情報は、目に見えないように印刷されている、
請求項６に記載の梱包体。
【請求項８】
前記情報が、前記読取り装置によって読取り可能なコード情報である、
請求項６または７に記載の梱包体。
【請求項９】
前記情報が、当該粘着テープが貼着される梱包容器内に収納される物品に関する物品情報を含む、
請求項６ないし８のいずれか一項に記載の梱包体。
【請求項１０】
読取り装置によって読取り可能な情報を、粘着テープに印刷する印刷工程と、
物品を収納した梱包容器の外面に、前記情報が印刷された前記粘着テープを貼着する貼着工程とを含む、
ことを特徴とする梱包方法。
【請求項１１】
前記印刷工程では、前記情報を、目に見えないように前記粘着テープに印刷する、
請求項１０に記載の梱包方法。
【請求項１２】
前記情報が、前記読取り装置によって読取り可能なコード情報である、
請求項１０または１１に記載の梱包方法。
【請求項１３】
前記情報が、前記梱包容器に収納される前記物品に関する物品情報を含む、
請求項１０ないし１２のいずれか一項に記載の梱包方法。
【発明の詳細な説明】
【技術分野】
【０００１】
本発明は、段ボール箱の梱包などに好適な粘着テープ、粘着テープを用いて梱包された梱包体、及び、粘着テープを用いた梱包方法に関する。
【背景技術】
【０００２】
従来から、食料品、農産品、工業品等の様々な物品を収納保管し、あるいは移送、運搬する梱包容器として、段ボール箱が多用されており、かかる段ボール箱では、フラップ等を封緘するために、梱包用の粘着テープが使用されている（例えば、特許文献１参照）。
【０００３】
かかる段ボール箱では、その表面に、収納する物品名等を予め印刷しておくこともあるが、段ボール箱の表面に物品名等を印刷してしまうと、その物品専用の段ボール箱となり、他の物品を収納して運搬、保管等をすることができず、用途が限定されることになる。
【０００４】
このため、段ボール箱の表面に印刷するのではなく、必要な情報を表示したバーコードラベルを、段ボール箱に貼付し、バーコードラベルのバーコード情報を利用して、在庫管理、流通管理等を行う場合も多い。
【先行技術文献】
【特許文献】
【０００５】
【特許文献１】特開平７−２６２２１号公報
【発明の概要】
【発明が解決しようとする課題】
【０００６】
上記のような在庫管理や流通管理では、例えば、倉庫に保管された段ボール箱、あるいは、入荷や出荷される段ボール箱に貼付されたバーコードラベルのバーコード情報をバーコードリーダによって読取って、読取ったバーコード情報と、在庫情報、あるいは、入荷や出荷情報とを比較して検品を行っている。
【０００７】
このようにバーコードラベルを用いて検品を行う場合には、予め、バーコードを表示したバーコードラベルを準備し、バーコードラベルを段ボール箱に貼付する作業が必要となる。
【０００８】
更に、バーコードラベルは、通常、段ボール箱の一箇所のみに貼付されるので、バーコードリーダによってバーコードラベルを読取れる位置が制限されることになる。このため、バーコードの読取り作業に時間を要し、検品の作業効率が低下する場合がある。
【０００９】
本発明は、このような実情に着目してなされたものであって、バーコードラベルを必要とすることなく、必要な情報を効率的に読取れるようにすることを主たる目的とする。
【課題を解決するための手段】
【００１０】
上記目的を達成するために、本発明では、次のように構成している。
【００１１】
（１）本発明に係る粘着テープは、基材と、前記基材の少なくとも片面側に形成された粘着剤層と、読取り装置によって読取り可能な情報が印刷された印刷層とを備えている。
【００１２】
本発明によると、粘着テープには、例えば、バーコードリーダなどの読取り装置によって読取り可能な情報が印刷されているので、かかる粘着テープによって、段ボール箱等の梱包容器を梱包することによって、梱包容器の外面には、情報が印刷された粘着テープが貼付された状態となる。
【００１３】
この梱包容器の外面に貼付された粘着テープに印刷されている情報を、読取り装置によって読取ることができ、この情報を利用して検品等を行うことができる。
【００１４】
したがって、従来のように、バーコードラベルを準備して、段ボール箱等の梱包容器に、バーコードラベルを貼付する必要がなく、その分、作業負担が軽減される。
【００１５】
更に、粘着テープは、従来のバーコードラベルのように、段ボール箱等の梱包容器の一箇所のみに貼付されるのではなく、梱包の際には、梱包容器の複数の面や端縁部等の複数箇所に亘って貼着される。したがって、粘着テープに印刷された情報は、読取り装置によって、梱包容器の複数の面や端縁部等の複数箇所に亘って貼着された粘着テープから読取ることが可能となり、従来に比べて、情報の読取り作業が容易となり、読取り作業に要する時間を短縮することができる。
【００１６】
（２）本発明の好ましい実施態様では、前記情報は、目に見えないように印刷されている。
【００１７】
この実施態様によると、情報は、例えば、Digimarc Corporation（以下「デジマーク社」という）などの電子透かし技術を利用して、目にみえないように粘着テープに埋め込まれているので、情報を、例えば、バーコード等として粘着テープに印刷しても、バーコード等が視認されることがなく、粘着テープの美観を損なうことがない。
【００１８】
（３）本発明の他の実施態様では、前記情報が、前記読取り装置によって読取り可能なコード情報である。
【００１９】
この実施態様によると、粘着テープに印刷された情報が、例えば、バーコードリーダ等の読取り装置によって読取り可能なバーコードやＱＲコード（登録商標）等のコード情報であるので、粘着テープに印刷された情報を、バーコードリーダ等の読取り装置によって容易に読取ることができる。
【００２０】
（４）本発明の更に他の実施態様では、前記情報が、当該粘着テープが貼着される梱包容器内に収納される物品に関する物品情報を含んでいる。
【００２１】
この実施態様によると、粘着テープに印刷された情報には、当該粘着テープが貼着される梱包容器内に収納される物品に関する物品情報を含んでいるので、粘着テープの物品情報を読取って、物品の入出荷や在庫管理等に利用することができる。
【００２２】
（５）本発明の他の実施態様では、前記印刷層を第１印刷層とし、前記情報が可変情報であり、固定情報が印刷された第２印刷層を更に備える。
【００２３】
この実施態様によると、予め第２印刷層に固定情報を印刷しておき、第１印刷層に可変情報を後印刷することができる。
【００２４】
（６）本発明に係る梱包体は、物品を収納した梱包容器と、該梱包容器の外面に貼着された粘着テープとを備える梱包体であって、前記粘着テープは、基材と、前記基材の少なくとも片面側に形成された粘着剤層と、読取り装置によって読取り可能な情報が印刷された印刷層とを備えている。
【００２５】
本発明によると、段ボール箱等の梱包容器に貼着された梱包用の粘着テープには、読取り装置、例えば、バーコードリーダなどによって読取り可能な情報が印刷されているので、この情報を、読取り装置によって読取って、梱包容器に収納された物品の検品等を行うことができる。
【００２６】
したがって、従来のように、バーコードラベルを準備して、梱包容器に、バーコードラベルを貼付する必要がなく、その分、作業負担が軽減される。
【００２７】
更に、粘着テープは、従来のバーコードラベルのように、段ボール箱等の梱包容器の一箇所のみに貼付されるのではなく、梱包の際には、梱包容器の複数の面や端縁部等の複数箇所に亘って貼着される。したがって、粘着テープに印刷された情報は、読取り装置によって、梱包容器の複数の面や端縁部等の複数箇所に亘って貼着された粘着テープから読取ることが可能となり、従来に比べて、情報の読取り作業が容易となり、読取り作業に要する時間を短縮することができる。
【００２８】
（７）本発明の好ましい実施態様では、前記情報は、目に見えないように印刷されている。
【００２９】
この実施態様によると、情報は、電子透かし技術を利用して、目にみえないように粘着テープに埋め込まれているので、情報を、例えば、バーコード等として粘着テープに印刷しても、バーコード等が視認されることがなく、粘着テープの美観を損なうことがない。
【００３０】
（８）本発明の他の実施態様では、前記情報が、前記読取り装置によって読取り可能なコード情報である。
【００３１】
この実施態様によると、粘着テープに印刷された情報が、例えば、バーコードリーダ等の読取り装置によって読取り可能なバーコードやＱＲコード（登録商標）等のコード情報であるので、粘着テープに印刷された情報を、バーコードリーダ等の読取り装置によって容易に読取ることができる。
【００３２】
（９）本発明の更に他の実施態様では、前記情報が、当該粘着テープが貼着される梱包容器内に収納される物品に関する物品情報を含んでいる。
【００３３】
この実施態様によると、粘着テープに印刷された情報には、当該粘着テープが貼着される梱包容器内に収納される物品に関する物品情報を含んでいるので、粘着テープの物品情報を読取って、物品の入出荷や在庫管理等に利用することができる。
【００３４】
（１０）本発明に係る梱包方法は、読取り装置によって読取り可能な情報を、粘着テープに印刷する印刷工程と、物品を収納した梱包容器の外面に、前記情報が印刷された前記粘着テープを貼着する貼着工程とを含んでいる。
【００３５】
本発明によると、粘着テープに、読取り装置によって読取り可能な情報を印刷し、情報が印刷された粘着テープを用いて、物品を収納した梱包容器を梱包することによって、例えば、バーコードリーダなどの読取り装置によって、粘着テープに印刷されている情報を読取って、梱包容器に収納された物品の検品等を行うことができる。
【００３６】
したがって、従来のように、バーコードラベルを準備して、梱包容器にバーコードラベルを貼付する必要がなく、その分、作業負担が軽減される。
【００３７】
更に、粘着テープは、従来のバーコードラベルのように、段ボール箱等の梱包容器の一箇所のみに貼付されるのではなく、梱包の際には、梱包容器の複数の面や端縁部等の複数箇所に亘って貼着される。したがって、粘着テープに印刷された情報は、読取り装置によって、梱包容器の複数の面や端縁部等の複数箇所に亘って貼着された粘着テープから読取ることが可能となり、従来に比べて、情報の読取り作業が容易となり、読取り作業に要する時間を短縮することができる。
【００３８】
（１１）本発明の好ましい実施態様では、前記印刷工程では、前記情報を、目に見えないように前記粘着テープに印刷する。
【００３９】
この実施態様によると、印刷工程では、情報を、電子透かし技術を利用して、目にみえないように粘着テープに埋め込むので、情報を、例えば、バーコード等として粘着テープに印刷しても、バーコード等が視認されることがなく、粘着テープの美観を損なうことがない。
【００４０】
（１２）本発明の他の実施態様では、前記情報が、前記読取り装置によって読取り可能なコード情報である。
【００４１】
この実施態様によると、粘着テープに印刷された情報が、例えば、バーコードリーダ等の読取り装置によって読取り可能なバーコードやＱＲコード（登録商標）等のコード情報であるので、粘着テープに印刷された情報を、バーコードリーダ等の読取り装置によって容易に読取ることができる。
【００４２】
（１３）本発明の更に他の実施態様では、前記情報が、前記梱包容器に収納される前記物品に関する物品情報を含んでいる。
【００４３】
この実施態様によると、粘着テープに印刷された情報には、梱包容器に収納される物品に関する物品情報を含んでいるので、粘着テープの物品情報を読取って、物品の入出荷や在庫管理等に利用することができる。
【発明の効果】
【００４４】
本発明によれば、粘着テープには、バーコードリーダ等の読取り装置によって読取り可能な情報が印刷されているので、かかる粘着テープによって、段ボール箱等の梱包容器を梱包することによって、梱包容器の外面には、情報が印刷された粘着テープが貼付された状態となる。
【００４５】
この梱包容器の外面に貼付された粘着テープに印刷されている情報を、読取り装置によって読取ることができ、この情報を用いて、検品等を行うことができる。
【００４６】
したがって、従来のように、バーコードラベルを準備して、段ボール箱等の梱包容器に、バーコードラベルを貼付する必要がなく、その分、作業負担が軽減される。
【００４７】
更に、粘着テープは、従来のバーコードラベルのように、段ボール箱等の梱包容器の一箇所のみに貼付されるのではなく、梱包の際には、梱包容器の複数の面や端縁部等の複数箇所に亘って貼着される。したがって、粘着テープに印刷された情報は、読取り装置によって、梱包容器の複数の面や端縁部等の複数箇所に亘って貼着された粘着テープから読取ることが可能となり、従来に比べて、情報の読取り作業が容易となり、読取り作業に要する時間を短縮することができる。
【図面の簡単な説明】
【００４８】
【図１】図１は本発明の一実施形態に係る粘着テープの斜視図である。
【図２】図２は図１のＡ−Ａ線に沿う模式的な断面図である。
【図３】図３は図１の粘着テープを用いた段ボール箱の梱包例を示す斜視図である。
【図４】図４は本発明の他の実施形態に係る粘着テープの図２に対応する模式的な断面図である。
【図５】図５は本発明の更に他の実施形態に係る粘着テープの図２に対応する模式的な断面図である。
【図６】図６は本発明の他の実施形態に係る粘着テープの図１に対応する斜視図である。
【発明を実施するための形態】
【００４９】
以下、本発明の実施の形態を、図面を参照しながら説明する。
【００５０】
図１は本発明の一実施形態に係る粘着テープの斜視図であり、図２は図１のＡ−Ａ線に沿う断面を模式的に示す図である。
【００５１】
この実施形態の粘着テープ１は、例えば、段ボール箱の封緘等に使用される梱包用テープとして好適である。
【００５２】
この粘着テープ１は、基材２を備えると共に、この基材２の一方の面側に、離型剤層３及び第１印刷層４を備え、基材２の他方の面側に、第２印刷層５及び粘着剤層６を備えている。
【００５３】
この粘着テープ１は、その両面に、離型剤層３及び粘着剤層６を備えているので、剥離紙を必要とすることなく、離型剤層３の上に粘着剤層６を重ねるようにして、図１に示されるようにロール状に巻回することができる。
【００５４】
基材２は、特に限定されず、樹脂フィルムや紙材等を用いることができる。樹脂フィルムとしては、例えば、ポリオレフィン系樹脂、ポリエステル系樹脂、ポリ塩化ビニル系樹脂、フッ素系樹脂、生分解性フィルム等のフィルムが挙げられる。具体的には、二軸延伸ポリプロピレン（ＯＰＰ）、ポリエチレンテレフタレート（ＰＥＴ）、ポリスチレン（ＰＳ）のフィルム、ポリ乳酸（ＰＬＡ）のフィルムなどが挙げられる。
【００５５】
離型剤層３は、例えば、シリコーン樹脂で形成された層であり、粘着剤が粘着テープの表面に固着することを防止する。
【００５６】
第１印刷層４は、後述のように、電子透かし技術を利用して、人の目に見えないようにコード情報が印刷された層である。このコード情報は、対応する読取り装置によって読取ることができる。コード情報には、従来のバーコードラベルのバーコード情報を含ませることができる。この実施形態では、コード情報には、当該粘着テープ１によって封緘される段ボール箱内に収納される物品に関する物品情報、例えば、物品名、製造年月日、ロット番号等の可変情報が含まれている。なお、コード情報には、可変情報に限らず、例えば、当該粘着テープ１によって封緘される段ボール箱内に収納される物品の製造メーカー名やロゴマーク等の固定情報を含めてもよく、あるいは、固定情報のみであってもよい。
【００５７】
この第１印刷層４は、予め第２印刷層５が印刷された粘着テープに対して、後印刷することができる。この第１印刷層４は、粘着テープの製造メーカー側で印刷してもよいし、粘着テープを使用するユーザー側で印刷してもよい。
【００５８】
第２印刷層５は、例えば、背景色などが予め印刷された層である。この第２印刷層５は、公知のグラビア印刷、フレキソ印刷、シルクスクリーン印刷などの公知の印刷手法を採用して印刷することができる。
【００５９】
この第２印刷層５には、固定情報を予め印刷してもよいし、粘着テープ１のデザイン性を高めるために、絵柄等を予め印刷してもよい。なお、この第２印刷層５は省略してもよい。
【００６０】
粘着剤層６は、粘着剤で形成された層であり、粘着剤としては、例えば、アクリル系粘着剤、ゴム系粘着剤、シリコン系粘着剤等が挙げられ、アクリル系粘着剤が好ましい。
【００６１】
なお、この粘着剤層６の第２印刷層５とは反対側の面には、剥離紙を設けてもよく、この場合、離型剤層３を省略してもよい。
【００６２】
この実施形態では、粘着テープ１の第１印刷層４は、コード情報が、上記のように電子透かし技術を利用して、目に見えないように印刷されている。
【００６３】
具体的には、デジマーク社の電子透かし技術であるDigimarcBarcode(R)（以下「デジマークバーコード」という）を使用してコード情報を、人の目に見えないように、バーコードとして粘着テープ１に埋め込んでいる。
【００６４】
このコード情報は、粘着テープ１の表面を拡大しなければ目に見えない多数のドット情報として埋め込まれているので、殆ど視認することができない状態となっている。このコード情報は、粘着テープ１の全面、すなわち、粘着テープ１の長手方向及び幅方向に亘って、多数のバーコードとして埋め込まれている。
【００６５】
このコード情報の埋め込みは、デジマークバーコードに対応したプリンタ、この実施形態では、デジマークバーコードに対応した熱転写プリンタによる熱転写印刷によって行われる。
【００６６】
粘着テープ１に目に見えないように埋め込まれたバーコードは、デジマークバーコードに対応した読取り装置であるバーコードリーダによって読取ることができる。
【００６７】
次に、上記構成を有する粘着テープ１を用いた段ボール箱の梱包方法について説明する。
【００６８】
この実施形態に係る梱包方法は、印刷工程と貼着工程とを備えている。先ず、印刷工程では、第１印刷層４が印刷されていない状態の粘着テープに対して、第１印刷層４を、熱転写プリンタによって、コード情報としてのデジマークバーコードを印刷する。このデジマークバーコードは、段ボール箱に収納される物品に関する物品情報を含んでいる。
【００６９】
貼着工程では、物品を収納した段ボール箱を、デジマークバーコードを印刷した粘着テープ１によって梱包し、段ボール箱に粘着テープ１を貼着する。
【００７０】
図３は、このようにして梱包された梱包例を示す斜視図であり、粘着テープ１を、段ボール箱７の上面と底面における左右と中央に貼着した、いわゆる、Ｈ貼りした梱包例を示している。
【００７１】
梱包容器としての段ボール箱７に、物品を収納し、粘着テープ１によって梱包することによって、段ボール箱７と粘着テープ１とを備える梱包体８が構成される。
【００７２】
粘着テープ１に、目に見えないようにバーコードとして埋め込まれたコード情報には、従来のバーコードラベルの情報を含めることができるので、段ボール箱７を、粘着テープ１を用いて梱包することによって、段ボール箱７には、目に見えないバーコードを有する粘着テープ１が貼付された状態となり、従来のバーコードラベルを段ボール箱７に貼付する必要がない。
【００７３】
したがって、バーコードラベルを準備したり、段ボール箱にバーコードラベルを貼付する必要がなく、従来の粘着テープを用いた梱包に代えて、本発明に係る粘着テープ１を用いて梱包すればよい。
【００７４】
このように、バーコードラベルを準備して、段ボール箱７にバーコードラベルを貼付する必要がないので、その分、作業負担が軽減される。
【００７５】
更に、段ボール箱７に貼着された粘着テープ１は、上記のようにコード情報が、目に見えないバーコードとして、その全面に亘って多数埋め込まれているので、図３に示される段ボール７の粘着テープ１が貼着されている、いずれの面からもバーコードリーダによって粘着テープ１のバーコードを読取ることができる。これによって、バーコードラベルが、段ボール箱の一箇所のみに貼付された従来のように、バーコードリーダによって読取ることができる位置が制限されることはなく、読取り作業に要する時間を短縮することができる。
【００７６】
特に、倉庫などに積み上げて保管されている多数の段ボール箱７のバーコードを読取る際には、遠距離の読取りが可能なバーコードリーダを用いて、段ボール箱７のどの面からも粘着テープ１のバーコードを読取ることが可能となり、検品等の作業効率を高めることができる。
【００７７】
また、粘着テープ１の全面に亘って多数埋め込まれているバーコードは、目に見えないので、粘着テープ１の美観を損なうこともない。更に、第２印刷層５に、絵柄等を予め印刷しておくことによって、第１印刷層４のバーコードが、絵柄等を損なうこともなく、粘着テープ１のデザイン性を高めることができる。
【００７８】
上記実施形態では、第１印刷層４は、後印刷するものであったが、本発明の他の実施形態として、例えば、上記図２に対応する図４の模式的な断面図に示すように、第１印刷層４を予め印刷するようにしてもよい。
【００７９】
この図４に示される粘着テープ１ａは、基材２、離型剤層３、及び、粘着剤層６を備えている。この粘着テープ１ａでは、基材２の一方の面には、第１印刷層４ａとして、熱転写プリンタによって、コード情報が、上記実施形態と同様に、デジマークバーコードを使用して目に見えないように印刷され、更に、第２印刷層５ａが印刷される。その他の構成は、上記実施形態と同様である。
【００８０】
上記各実施形態では、第１印刷層４，４ａは、熱転写プリンタによって熱転写印刷したが、本発明の他の実施形態として、例えば、上記図２に対応する図５の模式的な断面図に示すように、サーマル（感熱）プリンタによって感熱印刷するようにしてもよい。
【００８１】
すなわち、図５に示される粘着テープ１ｂは、上記図２に示される実施形態と同様に、基材２、離型剤層３、第２印刷層５、粘着剤層６を備えている。
【００８２】
この実施形態では、第１印刷層４ｂは、感熱発色層を、感熱発色させてコード情報を、上記実施形態と同様に、デジマークバーコードを使用して目に見えないように印刷したものである。その他の構成は、上記実施形態と同様である。
【００８３】
なお、第１印刷層４，４ａ，４ｂは、熱転写方式や感熱方式に限らず、インクジェット方式などの他の方式で印刷してもよい。
【００８４】
上記の各実施形態では、第１印刷層４，４ａ，４ｂは、電子透かし技術を利用して、目に見えないように、コード情報を印刷したが、本発明の他の実施形態として、電子透かし技術を利用することなく、図６に示すように、コード情報であるバーコード９の多数を、粘着テープ１ｃの全面に亘って見えるように印刷してもよい。
【００８５】
この実施形態の粘着テープ１ｃを用いて段ボール箱７を梱包することによって、段ボール箱７には、多数のバーコード９を有する粘着テープ１ｃが貼付された状態となり、従来のバーコードラベルを段ボール箱７に貼付する必要がない。
【００８６】
また、粘着テープ１ｃには、バーコード９が、その全面に亘って多数印刷されているので、段ボール箱７のどの面からもバーコードリーダによって粘着テープ１ｃのバーコード９を読取ることができ、読取り作業に要する時間を短縮することができる。
【００８７】
コード情報は、一次元のバーコードに限らず、ＱＲコード（登録商標）等の２次元コードとして印刷してもよい。
【００８８】
上記実施形態では、デジマーク社の電子透かし技術であるデジマークバーコードを利用してコード情報を、人の目に見えないように、粘着テープ１，１ａ，１ｂに埋め込んだが、デジマークバーコードに限らず、他の電子透かし技術を用いてもよいのは勿論である。
【００８９】
粘着テープは、梱包用に限らず、例えば、マスキング用、結束用や包装用などの他の用途に使用してもよい。
【符号の説明】
【００９０】
１，１ａ，１ｂ，１ｃ    粘着テープ
２                      基材
３                      離型剤層
４，４ａ，４ｂ          第１印刷層
５，５ａ                第２印刷層
６                      粘着剤層
７                      段ボール箱(梱包容器)
８                      梱包体
９                      バーコード
【図１】
2020105413.tif 000003
【図２】
2020105413.tif 000004
【図３】
2020105413.tif 000005
【図４】
2020105413.tif 000006
【図５】
2020105413.tif 000007
【図６】
2020105413.tif 000008